(57)【特許請求の範囲】
【請求項１】
医療台に対して回転しない第一のすぐばかさ歯車と、
この第一のすぐばかさ歯車と同軸状にこの第一のすぐばかさ歯車に対して回転可能な第一のフレームと、
前記第一のすぐばかさ歯車の軸心と平行に前記第一のフレームに対して回転可能な第二のフレームと、
前記第一及び第二のフレームに対して前記第二のフレームと同軸状に回転可能であると共に前記第一のすぐばかさ歯車と噛み合っており、前記第一のフレームの前記回転に伴って前記第一のすぐばかさ歯車との噛み合い位置が順次に移動していく第二のすぐばかさ歯車と、
この第二のすぐばかさ歯車の軸心と平行な軸心の周りに前記第二のフレームに対して回転可能な平歯車と、
この平歯車と共に回転可能な股受と、
前記第二のすぐばかさ歯車及び前記平歯車に対する噛み合い状態と非噛み合い状態との間で変化可能であり前記噛み合い状態で前記第二のすぐばかさ歯車及び前記平歯車の回転を阻止する回転阻止部材と、
前記第二のすぐばかさ歯車及び前記平歯車に対する前記回転阻止部材の前記変化を同時に生じさせる操作部材と
を具備する支脚器。
【請求項２】
前記回転阻止部材を前記非噛み合い状態から前記噛み合い状態へ付勢している付勢部材を具備する請求項１に記載の支脚器。
【発明の詳細な説明】
【０００１】
【発明の属する技術分野】
本願の発明は、医療台に備えられていて患者の膝や踵を支持するための支脚器に関するものである。
【０００２】
【従来の技術】
図１０は、医療台の一種としての分娩台を示している。この分娩台１１では、基台１２上に昇降台１３が備えられており、昇降台１３上にマット１４が備えられている。分娩台１１には補助台１５も備えられており、補助台１５は非使用時にはマット１４の下方に格納されており、使用時にはマット１４の下方から引き出される。昇降台１３には、本願の発明の一従来例であって患者の膝や踵を支持するための一対の支脚器１６が取り付けられている。
【０００３】
図９には、支脚器１６が図１０よりも拡大されて示されている。昇降台１３には支脚固定器１７が取り付けられており、支脚固定器１７には支脚器受１８及び固定ネジ１９が備えられている。レールフレーム２１が支脚器受１８中に挿入されて固定ネジ１９で固定されている。レールフレーム２１にはレールダンパ２２が固定されており、レールフレーム２１に外挿されているユニバーサルレール２３がレールダンパ２２で支持されている。
【０００４】
レールフレーム２１には、押上バネ２４及び固定クラッチ２５も外挿されており、更に花形ネジ２６が取り付けられている。ユニバーサルレール２３にはプレッシャプレート２７が外挿されており、プレッシャプレート２７には固定ネジ２８が取り付けられている。プレッシャプレート２７にはキャップ２９も取り付けられており、プレッシャプレート２７とキャップ２９との間に股受３１のユニバーサルボール３２が配置されている。
【０００５】
ところで、患者によって身長や体型等が互いに異なっているので、患者の膝や踵を確実に支持するためには、分娩台１１に対する股受３１の相対的な位置を患者によって調整する必要がある。この調整を行うためには、まず、固定ネジ１９を緩めて支脚器受１８に対するレールフレーム２１の挿入長及び回転角度を調整し、この状態で固定ネジ１９を締め付けることによって、分娩台１１に対する股受３１の位置を大まかに調整する。
【０００６】
その後、花形ネジ２６を緩めてレールフレーム２１に対するユニバーサルレール２３の回転角度を微調整し、この状態で花形ネジ２６を締め付ける。また、固定ネジ２８を緩めてユニバーサルレール２３に対するプレッシャプレート２７の位置を微調整すると共にプレッシャプレート２７に対する股受３１の角度を微調整し、この状態で固定ネジ２８を締め付ける。
【０００７】
【発明が解決しようとする課題】
しかし、図９に示されている一従来例の支脚器１６では、分娩台１１に対する股受３１の位置を微調整するためのこの位置の固定及び固定の解除に際しては、花形ネジ２６に対する操作と固定ネジ２８に対する操作とが必要である。このため、分娩台１１に対する股受３１の位置を簡易に調整することができるとは言い難かった。従って、本願の発明は、医療台に対する股受の相対的な位置を簡易に調整することができる支脚器を提供することを目的としている。
【０００８】
【課題を解決するための手段】
請求項１に係る支脚器では、回転阻止部材が第二のすぐばかさ歯車と噛み合っていなくて第二のすぐばかさ歯車の回転を阻止していなければ、第二のすぐばかさ歯車を回転させて第一のすぐばかさ歯車との噛み合い位置を順次に移動させていくことができる。このため、第一のすぐばかさ歯車と同軸状に第一のすぐばかさ歯車に対して第一のフレームを回転させることができ、第一のフレームの回転によって医療台に対する第二のフレーム及び股受の回転角度を変化させることができる。
【０００９】
また、回転阻止部材が第二のすぐばかさ歯車と噛み合っていなければ、第一のすぐばかさ歯車の軸心と平行に且つ第二のすぐばかさ歯車と同軸状に第一のフレームに対して第二のフレームを回転させることができ、第二のフレームの回転によって医療台に対する股受の高さ及び第一のすぐばかさ歯車の軸心からの距離を変化させることができる。また、回転阻止部材が平歯車と噛み合っていなくて平歯車の回転を阻止していなければ、第二のすぐばかさ歯車の軸心と平行な軸心の周りに第二のフレームに対して平歯車を回転させることができ、第二のフレームを回転させても平歯車の回転によって医療台に対する股受の姿勢を維持することができる。
【００１０】
従って、医療台に対する股受の姿勢を維持したままで、医療台に対する股受の回転角度、高さ及び第一のすぐばかさ歯車の軸心からの距離を変化させることができ、これらの変化によって医療台に対する股受の相対的な位置を調整することができる。しかも、操作部材が第二のすぐばかさ歯車及び平歯車に対する回転阻止部材の噛み合い状態及び非噛み合い状態を同時に変化させるので、医療台に対する股受の相対的な位置の固定及び固定の解除を単一の操作部材に対する単一の操作のみによって行うことができる。
【００１１】
請求項２に係る支脚器では、付勢部材が回転阻止部材を第二のすぐばかさ歯車及び平歯車に対する非噛み合い状態から噛み合い状態へ付勢しているので、操作部材に対する不測の操作によって回転阻止部材が不測に移動しにくく、医療台に対する股受の相対的な位置が不測に変化しにくい。
【００１２】
【発明の実施の形態】
以下、分娩台の支脚器に適用されている本願の発明の一実施形態を、図１〜８を参照しながら説明する。図１が、本実施形態の支脚器４１における要部を示している。この支脚器４１にはすぐばかさ歯車４２が備えられており、略Ｌ字状のフレーム４３と直方体のブロック４４とがすぐばかさ歯車４２の軸心に回転可能に取り付けられている。
【００１３】
支脚器４１には箱形に近い形状のフレーム４５が備えられており、フレーム４５の一対の板部４６の両側部が一対のＸ形の連結部４７によって連結されて、一対の板部４６同士及び一対の連結部４７同士が対向している。一対の軸４８がフレーム４５の一端部及び一対のすぐばかさ歯車４９を貫通してブロック４４に螺入されており、一方の軸４８はフレーム４３の先端部も貫通している。フレーム４５及びすぐばかさ歯車４９は、軸４８と同軸状にフレーム４３に対して独立に回転可能である。
【００１４】
軸４８はすぐばかさ歯車４２の軸心と垂直に交わっているので、フレーム４５はすぐばかさ歯車４２の軸心と平行に回転する。すぐばかさ歯車４９はすぐばかさ歯車４２と噛み合っており、すぐばかさ歯車４２に対するフレーム４３の回転に伴ってすぐばかさ歯車４９とすぐばかさ歯車４２との噛み合い位置も順次に移動していく。一対の軸５１がフレーム４５の他端部を貫通して一対の平歯車５２に螺入されており、コ字形に近い断面形状を有するスタンド部５３が一対の平歯車５２の互いに対向している端面に取り付けられている。
【００１５】
平歯車５２及びスタンド部５３は軸５１と同軸状にフレーム４５に対して一体的に回転可能である。軸４８、５１が互いに平行であるので、すぐばかさ歯車４９及び平歯車５２の夫々の軸心も互いに平行である。フレーム４５の一対の板部４６における夫々の対向面に案内レール５４が取り付けられており、一対のブレード５５がこれらの案内レール５４に摺動可能に嵌め込まれている。
【００１６】
各々のブレード５５における一方の連結部４７側の面にはプレート５６が取り付けられており、プレート５６には一対ずつの立上部５７が設けられている。一対のプレート５６において案内レール５４の延在方向で対向している立上部５７同士にロッド５８が挿通されている。ロッド５８のうちで立上部５７同士の間の部分には圧縮ばね５９が外挿されており、圧縮ばね５９は一対のブレード５５同士を互いに離隔させる方向へ付勢している。
【００１７】
一対のブレード５５同士が圧縮ばね５９による付勢で互いに離隔している状態では、ブレード５５の先端部はすぐばかさ歯車４９及び平歯車５２と噛み合っており、ブレード５５がすぐばかさ歯車４９及び平歯車５２の回転を阻止している。各々のブレード５５における他方の連結部４７側の面には長方形に近い形状のプレート６１の一端部がピン６２によって取り付けられており、プレート６１はピン６２を中心にして回転可能である。
【００１８】
一対の連結部４７を軸６３が貫通しており、プレート６１のうちで軸６３に近い他端部が切り欠かれている。軸６３のうちで一方の連結部４７側の部分に円柱部６４が取り付けられており、円柱部６４の端面に取り付けられているピン６５がプレート６１の他端部を貫通している。軸６３のうちで一方の連結部４７側の端部にレバー６６が取り付けられており、レバー６６の操作によって軸６３、円柱部６４及びピン６５が同時に回転する。軸４８と一方の板部４６との間にはガススプリング６７が取り付けられている。
【００１９】
図４、５に示されている様に、股受６８の股受本体部６９は一対のアーム７１によって基部筐体７２に取り付けられており、スタンド部５３には平歯車７３が固定されている。そして、基部筐体７２が平歯車７３と同軸状に回転可能にスタンド部５３に取り付けられている。基部筐体７２内には平歯車７３と噛み合い可能な歯を有するプレート７４が備えられており、プレート７４にはダルマ形の貫通孔７５が設けられている。
【００２０】
プレート７４は圧縮ばね７６によって平歯車７３から離隔する方向へ付勢されており、この離隔状態ではプレート７４の歯は平歯車７３と噛み合っていない。股受６８には段付円柱状のピン７７及びこのピン７７と一体になっているボタン７８が備えられており、ピン７７は貫通孔７５内に挿通されている。ピン７７及びボタン７８は圧縮ばね７９によってボタン７８がプレート７４から離隔する方向へ付勢されている。
【００２１】
図４、５、７、８に示されている様に、支脚器４１のすぐばかさ歯車４２側の端部には昇降器８１が備えられており、図８に示されている様に、昇降器８１が分娩台１１の昇降台１３に取り付けられている。なお、すぐばかさ歯車４２は昇降器８１に対して回転しない。また、図７、８では、フレーム４５及び昇降器８１は夫々カバー８２、８３に覆われた状態で示されている。
【００２２】
図８に示されている分娩台１１において昇降台１３に対する股受６８の相対的な位置を調整するためには、まず、昇降器８１でフレーム４５等を図７中の矢印ａ方向へ移動させることによって、昇降台１３に対する股受６８の高さを大まかに調整する。その後、圧縮ばね５９による付勢力に抗して図１において時計回り方向へレバー６６を回転させて、円柱部６４及びピン６５を軸６３と共に回転させる。この回転に伴って、プレート６１のうちでピン６５が貫通している部分及びその近傍部分も、図１、２に示されている状態から図３に示されている状態へ、軸６３の周りを回転する。
【００２３】
図１、２に示されている状態では、一対のブレード５５の夫々の先端部がすぐばかさ歯車４９及び平歯車５２と噛み合っている。しかし、図３に示されている状態では、一対のブレード５５はプレート６１に引っ張られ案内レール５４及びロッド５８に沿って互いに接近しており、一対のブレード５５の夫々の先端部はすぐばかさ歯車４９及び平歯車５２と噛み合っていない。このため、すぐばかさ歯車４９及び平歯車５２の回転が可能になり、また、フレーム４５もすぐばかさ歯車４９と同軸状に即ち図７中の軸心Ｂの周りに矢印ｂ方向へすぐばかさ歯車４９及びフレーム４３に対して回転可能になる。
【００２４】
但し、フレーム４５がこの様に回転可能になり且つフレーム４５及び股受６８等の重力によるトルクがすぐばかさ歯車４９の軸心の周りに働いていても、ガススプリング６７による抵抗力のためにフレーム４５は急激には回転しない。上述の様にすぐばかさ歯車４９の回転を可能にした状態ですぐばかさ歯車４２の軸心の周りへのトルクをフレーム４５または股受６８に加えると、すぐばかさ歯車４９が図７中の軸心Ｂの周りに矢印ｂ方向へ回転しつつすぐばかさ歯車４２との噛み合い位置を順次に移動させていく。
【００２５】
すぐばかさ歯車４９がこの様に回転することによってフレーム４３もすぐばかさ歯車４２と同軸状に即ち図７中の軸心Ｃの周りに矢印ｃ方向へ回転し、その結果、フレーム４５及び股受６８も同様に回転して、昇降台１３に対するフレーム４５及び股受６８の回転角度が調整される。
【００２６】
また、一方のブレード５５の先端部がすぐばかさ歯車４９と噛み合っていないので、すぐばかさ歯車４２の軸心と平行に且つすぐばかさ歯車４９と同軸状に即ち図７中の軸心Ｂの周りに矢印ｂ方向へフレーム４３に対してフレーム４５を回転させることができ、この回転によって昇降台１３に対するフレーム４５及び股受６８の高さ及びすぐばかさ歯車４２の軸心からの距離が調整される。
【００２７】
一方、フレーム４３に対してフレーム４５を回転させただけでは、昇降台１３に対する股受６８の姿勢が変化してしまう。しかし、平歯車５２が回転可能であるので、フレーム４５を回転させても平歯車５２を図７中の軸心Ｄの周りに矢印ｄ方向へ回転させることによって昇降台１３に対する股受６８の姿勢を維持することができる。
【００２８】
以上の様にして昇降台１３に対する股受６８の相対的な位置の調整が終了すると、レバー６６に加えていた操作力を弱める。すると、圧縮ばね５９による付勢力によって図１において反時計回り方向へレバー６６が回転し、一対のブレード５５が案内レール５４及びロッド５８に沿って互いに離隔して、一対のブレード５５の夫々の先端部がすぐばかさ歯車４９及び平歯車５２と噛み合う。この結果、昇降台１３に対する股受６８の相対的な位置が固定される。
【００２９】
但し、この状態からでも、更に、フレーム４５に対する股受６８の回転角度即ち図７中の軸心Ｅの周りの矢印ｅ方向における角度を調整することができる。そのためには、圧縮ばね７９による付勢力に抗してボタン７８をプレート７４側へ押圧して、プレート７４のボタン７８とは反対側へのピン７７の突出量を増加させる。図６（ａ）に示されている様に、ピン７７の大径部７７ａが貫通孔７５の大径部７５ａから突出して、ピン７７の小径部７７ｂのみが貫通孔７５内に位置すると、貫通孔７５の小径部７５ｂがピン７７の小径部７７ｂに対応する位置まで圧縮ばね７６の付勢力によってプレート７４が平歯車７３から離隔する。
【００３０】
この状態では、プレート７４の歯が平歯車７３と噛み合っていないので、平歯車７３に対して股受６８を回転させることができ、フレーム４５に対する股受６８の回転角度を調整することができる。この調整が終了すると、今度は、圧縮ばね７６による付勢力に抗してプレート７４を平歯車７３へ接近させる。図６（ｂ）に示されている様に、貫通孔７５の大径部７５ａがピン７７の大径部７７ａに対応すると、圧縮ばね７９の付勢力によってピン７７及びボタン７８が平歯車５２側へ引き戻される。
【００３１】
そして、ピン７７の大径部７７ａのみが貫通孔７５の大径部７５ａ内に位置すると、ピン７７の大径部７７ａは貫通孔７５の小径部７５ｂ内に嵌入することができないので、圧縮ばね７６の付勢力にも拘らずプレート７４の位置が固定される。この状態では、プレート７４の歯が平歯車７３と噛み合っているので、平歯車７３に対して股受６８を回転させることができず、フレーム４５に対する股受６８の回転角度が固定される。
【００３２】
以上に説明した本実施形態の支脚器４１は分娩台１１の支脚器に本願の発明を適用したものであるが、本願の発明による支脚器は分娩台以外の医療台の支脚器にも適用することができる。
【００３３】
【発明の効果】
請求項１に係る支脚器では、医療台に対する股受の相対的な位置の固定及び固定の解除を単一の操作部材に対する単一の操作のみによって行うことができるので、医療台に対する股受の相対的な位置を簡易に調整することができる。
【００３４】
請求項２に係る支脚器では、医療台に対する股受の相対的な位置が不測に変化しにくいので、股受の位置の安定性が高い。
【図面の簡単な説明】
【図１】  本願の発明の一実施形態における要部の平面図である。
【図２】  非操作状態にある図１の実施形態の概略的な斜視図である。
【図３】  操作状態にある図１の実施形態の概略的なの斜視図である。
【図４】  図１の実施形態の平面図である。
【図５】  図１の実施形態の側面図である。
【図６】  図４、５の実施形態における股受の要部の斜視図であり、（ａ）は股受の角度位置が調整され得る状態、（ｂ）は股受の角度位置が固定されている状態を夫々示している。
【図７】  図４、５の実施形態の動きを説明するための斜視図である。
【図８】  図４、５の実施形態を備えている分娩台の斜視図である。
【図９】  本願の発明の一従来例の側面図である。
【図１０】  図８の従来例を備えている分娩台の斜視図である。
【符号の説明】
１１…分娩台（医療台）、４１…支脚器、４２…すぐばかさ歯車（第一のすぐばかさ歯車）、４３…フレーム（第一のフレーム）、４５…フレーム（第二のフレーム）、４９…すぐばかさ歯車（第二のすぐばかさ歯車）、５２…平歯車（平歯車）、５５…ブレード（回転阻止部材）、５９…圧縮ばね（付勢部材）、６１…プレート（操作部材）、６６…レバー（操作部材）、６８…股受
【図１】
0004155753.tif 000002
【図２】
0004155753.tif 000003
【図３】
0004155753.tif 000004
【図４】
0004155753.tif 000005
【図５】
0004155753.tif 000006
【図６】
0004155753.tif 000007
【図７】
0004155753.tif 000008
【図８】
0004155753.tif 000009
【図９】
0004155753.tif 000010
【図１０】
0004155753.tif 000011